(57)【要約】  ユーザ装置は、基地局装置と無線フレームを介して通信し、前記無線フレームにおけるＲＡＣＨリソースの時間領域に係る割り当てを示すＲＡＣＨ設定テーブルに関する情報と、前記無線フレームの時間領域において使用できないＲＡＣＨリソースを除外する情報とを前記基地局装置から受信する受信部と、前記ＲＡＣＨ設定テーブルに関する情報及び前記使用できないＲＡＣＨリソースを除外する情報に基づいて、使用可能であるＲＡＣＨリソースを特定する制御部と、特定された前記使用可能であるＲＡＣＨリソースを用いて、プリアンブルを前記基地局装置に送信する送信部とを有する。
2019097661.tif 000002
【特許請求の範囲】
【請求項１】
基地局装置と無線フレームを介して通信するユーザ装置であって、
前記無線フレームにおけるＲＡＣＨリソースの時間領域に係る割り当てを示すＲＡＣＨ設定テーブルに関する情報と、前記無線フレームの時間領域において使用できないＲＡＣＨリソースを除外する情報とを前記基地局装置から受信する受信部と、
前記ＲＡＣＨ設定テーブルに関する情報及び前記使用できないＲＡＣＨリソースを除外する情報に基づいて、使用可能であるＲＡＣＨリソースを特定する制御部と、
特定された前記使用可能であるＲＡＣＨリソースを用いて、プリアンブルを前記基地局装置に送信する送信部とを有するユーザ装置。
【請求項２】
前記無線フレームの時間領域において使用できないＲＡＣＨリソースを除外する情報は、下りリンク配置又は上りリンク配置を示す情報の一部又は全部である請求項１記載のユーザ装置。
【請求項３】
前記下りリンク配置又は上りリンク配置を示す情報は、下りリンクスロットに含まれる下りリンクに使用されるシンボル及び下りリンク又は上りリンクに使用されるかが定められていないシンボルと、上りリンクスロットに含まれる上りリンクに使用されないシンボル及び上りリンク又は下りリンクに使用されるかが定められていないシンボルとの時間領域における位置を示す情報である請求項２記載のユーザ装置。
【請求項４】
前記制御部は、前記無線フレームの時間領域において使用できないＲＡＣＨリソースを除外する情報と、受信されたＳＳブロックの時間領域における位置とに基づいて、あるスロットにおける最後のＳＳブロックが含まれるシンボルより時間領域で前方のＲＡＣＨリソースを除外するか、又は、あるスロットにおいて２つのＳＳブロック送信候補位置が存在し時間領域で前方のＳＳブロックのみが受信された場合に前記前方のＳＳブロックが含まれるシンボルより前方のＲＡＣＨリソースを除外するか、又は、あるスロットにおいて２つのＳＳブロック送信候補位置が存在し時間領域で後方のＳＳブロックのみ又は２つのＳＳブロックが受信された場合にスロット内のＲＡＣＨリソースをすべて除外して、使用可能であるＲＡＣＨリソースを特定する請求項１記載のユーザ装置。
【請求項５】
前記ＲＡＣＨ設定テーブルは、前記プリアンブルが送信されるチャネルのサブキャリア間隔ごとに定義される請求項１記載のユーザ装置。
【請求項６】
前記下りリンク配置又は上りリンク配置を示す情報は、下りリンクスロット及び下りリンクに使用されるシンボルの時間領域における位置を示す情報を含むか、又は、下りリンクスロット、下りリンクに使用されるシンボル、下りリンク又は上りリンクに使用されるかが定められていないシンボルの時間領域における位置を示す情報を含む請求項２記載のユーザ装置。
【請求項７】
前記下りリンク配置又は上りリンク配置を示す情報は、下りリンク配置又は上りリンク配置が規定される１周期を示すスロット総数又は時間長を含み、前記スロット総数又は時間長に基づいて、前記ＲＡＣＨ設定テーブルが定義される請求項２記載のユーザ装置。
【請求項８】
前記ＲＡＣＨ設定テーブルは、前記スロット総数又は時間長ごとのＲＡＣＨリソースの密度が定義されるか、又は、前記スロット総数又は時間長ごとに前記ＲＡＣＨ設定テーブルのインデックスが定義されるか、又は前記スロット総数又は時間長が最大の値の倍数の周期でＲＡＣＨリソースが配置されるように定義される請求項７記載のユーザ装置。
【請求項９】
ユーザ装置と無線フレームを介して通信する基地局装置であって、
前記無線フレームにおけるＲＡＣＨリソースの時間領域に係る割り当てを示すＲＡＣＨ設定テーブルに関する情報と、前記無線フレームの時間領域において使用できないＲＡＣＨリソースを除外する情報とを前記ユーザ装置に送信する送信部と、
前記ＲＡＣＨ設定テーブルに関する情報及び前記使用できないＲＡＣＨリソースを除外する情報に基づいて、使用可能であるＲＡＣＨリソースを特定する設定部と、
特定された前記使用可能であるＲＡＣＨリソースを用いて、プリアンブルを前記ユーザ装置から受信する受信部とを有する基地局装置。
【発明の詳細な説明】
【技術分野】
【０００１】
本発明は、無線通信システムにおけるユーザ装置及び基地局装置に関する。
【背景技術】
【０００２】
３ＧＰＰ（3rd Generation Partnership Project）では、システム容量の更なる大容量化、データ伝送速度の更なる高速化、無線区間における更なる低遅延化等を実現するために、５ＧあるいはＮＲ（New Radio）と呼ばれる無線通信方式（以下、当該無線通信方式を「ＮＲ」という。）の検討が進んでいる。ＮＲでは、１０Ｇｂｐｓ以上のスループットを実現しつつ無線区間の遅延を１ｍｓ以下にするという要求条件を満たすために、様々な無線技術の検討が行われている。【０００３】
ＮＲでは、ユーザ装置と基地局装置とが接続を確立する際の初期アクセスにおいて、基地局装置から送信される同期信号によるセル検出及びセル同定、及び初期アクセスに必要なシステム情報の一部の取得が、ユーザ装置によって行われる（例えば非特許文献１）。【０００４】
また、ＮＲでは、ＬＴＥ（Long Term Evolution）と同様の低い周波数帯から、ＬＴＥよりも更に高い周波数帯までの幅広い周波数を使用することが想定されている。特に、高周波数帯では伝搬ロスが増大することから、当該伝搬ロスを補うために、ビーム幅の狭いビームフォーミングを適用することが検討されている（例えば非特許文献２）。
【先行技術文献】
【非特許文献】
【０００５】
【非特許文献１】３ＧＰＰ  ＴＳ  ３６．２１３  Ｖ１４．４．０  （２０１７−０９）
【非特許文献２】３ＧＰＰ  ＴＳ  ３６．２１１  Ｖ１４．４．０  （２０１７−０９）
【発明の概要】
【発明が解決しようとする課題】
【０００６】
ＮＲにおいて、初期アクセスに必要な同期信号及びシステム情報の一部は、連続したＯＦＤＭ（Orthogonal Frequency Division Multiplexing）シンボルから構成されるＳＳ  ｂｌｏｃｋ（Synchronization Signal block）と呼ばれるリソースユニットで、無線フレームにマッピングされる。ユーザ装置は、基地局装置から送信されるＳＳ  ｂｌｏｃｋを受信して初期アクセスに必要な情報を取得する。初期アクセスに必要な情報には、ＲＡＣＨ（Random Access Channel）リソース及びプリアンブル信号形式を特定する情報が含まれる。【０００７】
また、ＮＲにおいて、基地局装置は、ビームフォーミングを適用して複数のビームを送信する。当該ビームに関連付けられたＳＳ  ｂｌｏｃｋをユーザ装置は受信し、初期アクセスに必要な情報を取得する。ＲＡＣＨリソースは、ＳＳ  ｂｌｏｃｋに関連付けられている。また、ＮＲにおいて、無線フレームを構成するスロットのシンボルに対してＤＬ（Downlink）又はＵＬ（Uplink）を柔軟に設定することが可能である。【０００８】
そのため、ＮＲにおけるＳＳ  ｂｌｏｃｋの配置及びＤＬ又はＵＬの設定に対応する、使用可能なＲＡＣＨリソースをユーザ装置に通知する場合、ＲＡＣＨリソースを特定するための情報、すなわち、ＲＡＣＨリソースの時間領域及び周波数領域の位置、プリアンブルインデックス、関連付けられるＳＳ  ｂｌｏｃｋ等のすべてを通知するとシグナリングオーバヘッドが大きくなる問題があった。【０００９】
本発明は上記の点に鑑みてなされたものであり、無線通信システムの初期アクセスにおいて、使用可能なリソースを効率良くユーザ装置に通知することを目的とする。
【課題を解決するための手段】
【００１０】
開示の技術によれば、基地局装置と無線フレームを介して通信し、前記無線フレームにおけるＲＡＣＨリソースの時間領域に係る割り当てを示すＲＡＣＨ設定テーブルに関する情報と、前記無線フレームの時間領域において使用できないＲＡＣＨリソースを除外する情報とを前記基地局装置から受信する受信部と、前記ＲＡＣＨ設定テーブルに関する情報及び前記使用できないＲＡＣＨリソースを除外する情報に基づいて、使用可能であるＲＡＣＨリソースを特定する制御部と、特定された前記使用可能であるＲＡＣＨリソースを用いて、プリアンブルを前記基地局装置に送信する送信部とを有するユーザ装置が提供される。
【発明の効果】
【００１１】
開示の技術によれば、無線通信システムの初期アクセスにおいて、使用可能なリソースを効率良くユーザ装置に通知することができる。
【図面の簡単な説明】
【００１２】
【図１】本発明の実施の形態における無線通信システムの構成例を示す図である。
【図２】本発明の実施の形態における初期アクセスのシーケンスの一例を示す図である。
【図３】本発明の実施の形態におけるＳＳ  ｂｕｒｓｔ  ｓｅｔを説明するための図である。
【図４】本発明の実施の形態におけるＳＳ  ｂｕｒｓｔ  ｓｅｔの構成例（１）を説明するための図である。
【図５】本発明の実施の形態におけるＳＳ  ｂｕｒｓｔ  ｓｅｔの構成例（２）を説明するための図である。
【図６】本発明の実施の形態におけるＳＳ  ｂｕｒｓｔ  ｓｅｔの構成例（３）を説明するための図である。
【図７】本発明の実施の形態におけるＳＳ  ｂｌｏｃｋに関連付けられたＲＡＣＨリソースを説明するための図である。
【図８】本発明の実施の形態におけるスロットのフォーマットの例（１）を示す図である。
【図９】本発明の実施の形態におけるスロットのフォーマットの例（２）を示す図である。
【図１０】本発明の実施の形態におけるＲＡＣＨリソースの例（１）を示す図である。
【図１１】本発明の実施の形態におけるＲＡＣＨリソースの例（２）を示す図である。
【図１２】本発明の実施の形態におけるＲＡＣＨリソースの例（３）を示す図である。
【図１３】本発明の実施の形態における基地局装置１００の機能構成の一例を示す図である。
【図１４】本発明の実施の形態におけるユーザ装置２００の機能構成の一例を示す図である。
【図１５】基地局装置１００又はユーザ装置２００のハードウェア構成の一例を示す図である。
【発明を実施するための形態】
【００１３】
以下、図面を参照して本発明の実施の形態を説明する。なお、以下で説明する実施の形態は一例であり、本発明が適用される実施の形態は、以下の実施の形態に限られない。
【００１４】
本実施の形態の無線通信システムの動作にあたっては、適宜、既存技術が使用される。ただし、当該既存技術は、例えば既存のＬＴＥであるが、既存のＬＴＥに限られない。また、本明細書で使用する用語「ＬＴＥ」は、特に断らない限り、ＬＴＥ−Ａｄｖａｎｃｅｄ、及び、ＬＴＥ−Ａｄｖａｎｃｅｄ以降の方式（例：ＮＲ）を含む広い意味を有するものとする。
【００１５】
また、以下で説明する実施の形態では、既存のＬＴＥで使用されているＳＳ（Synchronization Signal）、ＰＳＳ（Primary SS）、ＳＳＳ（Secondary SS）、ＰＢＣＨ（Physical broadcast channel）、ＰＲＡＣＨ（Physical RACH）等の用語を使用しているが、これは記載の便宜上のためであり、これらと同様の信号、機能等が他の名称で呼ばれてもよい。また、ＮＲにおける上述の用語を、ＮＲ−ＳＳ、ＮＲ−ＰＳＳ、ＮＲ−ＳＳＳ、ＮＲ−ＰＢＣＨ、ＮＲ−ＰＲＡＣＨ等と表記する。
【００１６】
図１は、本発明の実施の形態における無線通信システムの構成例を示す図である。本発明の実施の形態における無線通信システムは、図１に示されるように、基地局装置１００及びユーザ装置２００を含む。図１には、基地局装置１００及びユーザ装置２００が１つずつ示されているが、これは例であり、それぞれ複数であってもよい。
【００１７】
基地局装置１００は、１つ以上のセルを提供し、ユーザ装置２００と無線通信を行う通信装置である。図１に示されるように、基地局装置１００は、同期信号及びシステム情報をユーザ装置２００に送信する。同期信号は、例えば、ＮＲ−ＰＳＳ及びＮＲ−ＳＳＳである。システム情報は、例えば、ＮＲ−ＰＢＣＨにて送信される。また、システム情報は、報知情報ともいう。基地局装置１００及びユーザ装置２００とはいずれも、ビームフォーミングを行って信号の送受信を行うことが可能である。ユーザ装置２００は、スマートフォン、携帯電話機、タブレット、ウェアラブル端末、Ｍ２Ｍ（Machine-to-Machine）用通信モジュール等の無線通信機能を備えた通信装置であり、基地局装置１００に無線接続し、無線通信システムにより提供される各種通信サービスを利用する。初期アクセスの段階において、図１に示されるように、ユーザ装置２００は、ランダムアクセスのプリアンブル信号を基地局装置１００に送信する。当該ランダムアクセスは、基地局装置１００から受信したＮＲ−ＰＢＣＨによるシステム情報に加え、ＮＲ−ＰＤＣＣＨ（Physical downlink control channel）によってスケジューリングされたＮＲ−ＰＤＳＣＨ（Physical downlink shared channel）によるシステム情報であるＲＭＳＩ（Remaining minimum system information）に基づいて行われる。ＲＭＳＩは、例えば、ＲＡＣＨ設定等の初期アクセスに必要な情報を含む。
【００１８】
なお、本実施の形態において、複信（Duplex）方式は、ＴＤＤ（Time Division Duplex）方式でもよいし、ＦＤＤ（Frequency Division Duplex）方式でもよいし、又はそれ以外（例えば、Flexible Duplex等）の方式でもよい。
【００１９】
また、以下の説明において、送信ビームを用いて信号を送信することは、プリコーディングベクトルが乗算された（プリコーディングベクトルでプリコードされた）信号を送信することとしてもよい。同様に、受信ビームを用いて信号を受信することは、所定の重みベクトルを受信した信号に乗算することとしてもよい。また、送信ビームを用いて信号を送信することは、特定のアンテナポートで信号を送信することと表現されてもよい。同様に、受信ビームを用いて信号を受信することは、特定のアンテナポートで信号を受信することと表現されてもよい。アンテナポートとは、３ＧＰＰの規格で定義されている論理アンテナポート又は物理アンテナポートを指す。なお、送信ビーム及び受信ビームの形成方法は、上記の方法に限られない。例えば、複数アンテナを備える基地局装置１００及びユーザ装置２００において、それぞれのアンテナの角度を変える方法を用いてもよいし、プリコーディングベクトルを用いる方法とアンテナの角度を変える方法を組み合わせる方法を用いてもよいし、異なるアンテナパネルを切り替えて利用してもよいし、複数のアンテナパネルを合わせて使う方法を組み合わせる方法を用いてもよいし、その他の方法を用いてもよい。また、例えば、高周波数帯において、複数の互いに異なる送信ビームが使用されてもよい。複数の送信ビームが使用されることを、マルチビーム運用といい、ひとつの送信ビームが使用されることを、シングルビーム運用という。
【００２０】
（実施例）
以下、実施例について説明する。
【００２１】
図２は、本発明の実施の形態における初期アクセスのシーケンスの一例を示す図である。初期アクセスが開始されると、ステップＳ１において、基地局装置１００は、ＮＲ−ＰＳＳ、ＮＲ−ＳＳＳ及びＮＲ−ＰＢＣＨ、すなわちＳＳ  ｂｌｏｃｋを、ユーザ装置２００に送信する。ＮＲ−ＰＢＣＨには、システム情報の一部が含まれる。基地局装置１００は、複数のＳＳ  ｂｌｏｃｋで構成されるＳＳ  ｂｕｒｓｔ  ｓｅｔをＳＳ  ｂｕｒｓｔ  ｓｅｔ  ｐｅｒｉｏｄｉｃｉｔｙの周期で繰り返してユーザ装置２００に送信する。ＳＳ  ｂｕｒｓｔ  ｓｅｔに複数のＳＳ  ｂｌｏｃｋが含まれる場合、当該複数のＳＳ  ｂｌｏｃｋは、マルチビーム運用環境において、それぞれ異なるビームに関連付けられてもよい。
【００２２】
一方、ユーザ装置２００は、基地局装置１００から送信されるＮＲ−ＰＳＳを受信して、初期の時間及び周波数同期及びセルＩＤ（identity）の一部の特定に少なくとも使用する。また、ユーザ装置２００は、基地局装置１００から送信されるＮＲ−ＳＳＳを受信して、少なくともセルＩＤの一部の特定に使用する。また、ユーザ装置２００は、基地局装置１００から送信されるＮＲ−ＰＢＣＨを受信して、初期アクセスに必要なシステム情報の一部、例えば、システムフレーム番号（ＳＦＮ：System Frame Number）及び他のシステム情報のＲＭＳＩ等を取得するための情報を取得する。
【００２３】
続いて、ステップＳ２において、ＲＭＳＩを含む他のシステム情報は、ＮＲ−ＰＤＣＣＨによってスケジューリングされたＮＲ−ＰＤＳＣＨを介して受信される。ＲＭＳＩには、ランダムアクセス手順を実行するためのリソース、すなわち、ＲＡＣＨリソース及びプリアンブルフォーマット等を特定する情報が含まれる。
【００２４】
ＳＳ  ｂｕｒｓｔ  ｓｅｔに複数のＳＳ  ｂｌｏｃｋが含まれる場合、ユーザ装置２００は、あるＳＳ  ｂｌｏｃｋを取得すると、当該ＳＳ  ｂｌｏｃｋに関連付けられるＲＡＣＨリソースで、プリアンブルを送信しランダムアクセス手順を開始する（Ｓ３）。
【００２５】
ステップＳ３において、基地局装置１００とユーザ装置２００との間でランダムアクセス手順が成功すると、初期アクセスは完了し、通常の通信が開始される（Ｓ４）。
【００２６】
図３は、本発明の実施の形態におけるＳＳ  ｂｕｒｓｔ  ｓｅｔを説明するための図である。図３に示されるように、ＳＳ  ｂｕｒｓｔ  ｓｅｔは、１〜Ｌ個のＳＳ  ｂｌｏｃｋから構成される。ＳＳ  ｂｌｏｃｋを送信する候補のリソースは、５ｍｓ期間内に含まれる。ＳＳ  ｂｌｏｃｋは、ＳＳ  ｂｕｒｓｔ  ｓｅｔのＬ個の候補位置すべてに配置されるとは限らず、実際に基地局装置１００から送信されるＳＳ  ｂｌｏｃｋは、運用に応じてＬ個以下で配置される。ＳＳ  ｂｌｏｃｋが配置されていない候補位置のリソースは、通常の通信に使用される。すなわち、Ｌは、ＳＳ  ｂｕｒｓｔ  ｓｅｔ中の最大ＳＳ  ｂｌｏｃｋ数を示す。また、Ｌは、周波数帯によって異なる値となる。例えば、３ＧＨｚ以下の周波数帯ではＬ＝４、３ＧＨｚ〜６ＧＨｚの周波数帯ではＬ＝８、６ＧＨｚ〜５２．６ＧＨｚの周波数帯ではＬ＝６４としてよい。
【００２７】
また、図３に示される例においては、ＳＳ  ｂｕｒｓｔ  ｓｅｔが送信される周期を示すＳＳ  ｂｕｒｓｔ  ｓｅｔ  ｐｅｒｉｏｄｉｃｉｔｙは、２０ｍｓである。ＳＳ  ｂｕｒｓｔ  ｓｅｔ  ｐｅｒｉｏｄｉｃｉｔｙの最小値は、５ｍｓであってもよい。
【００２８】
図４は、本発明の実施の形態におけるＳＳ  ｂｕｒｓｔ  ｓｅｔの構成例（１）を説明するための図である。図４において、無線フレーム上での５ｍｓ又は１ｍｓの時間単位でＳＳ  ｂｕｒｓｔ  ｓｅｔが構成された例を示している。
【００２９】
図４Ａは、ＳＳ  ｂｌｏｃｋが送信される無線信号のサブキャリア間隔が１５ｋＨｚかつ周波数帯が３ＧＨｚまでの場合のＳＳ  ｂｕｒｓｔ  ｓｅｔの構成例である。５ｍｓに対応する５スロットのうち、先頭の２スロットが、ＳＳ  ｂｌｏｃｋ（以下、「ＳＳＢ」ともいう。）を含む。スロット＃０にＳＳＢ＃０及びＳＳＢ＃１が配置され、スロット＃１にＳＳＢ＃２及びＳＳＢ＃３が配置される。１ｍｓの長さを有するスロットは、シンボル＃０からシンボル＃１３の１４シンボルで構成される。図４Ａに示されるように、１５ｋＨｚ  ＳＣＳ（subcarrier spacing、サブキャリア間隔）である無線フレームの、シンボル＃２からシンボル＃５にＳＳＢ＃０が配置され、シンボル＃８からシンボル＃１１にＳＳＢ＃１が配置される。１５ｋＨｚ  ＳＣＳである無線フレームは、ＳＳＢ及びデータの送受信に使用され、３０ｋＨｚ  ＳＣＳ及び６０ｋＨｚ  ＳＣＳである無線フレームは、データの送受信に使用される。
【００３０】
図４Ｂは、ＳＳ  ｂｌｏｃｋが送信される無線信号のサブキャリア間隔が１５ｋＨｚかつ周波数帯が３ＧＨｚから６ＧＨｚまでの場合のＳＳ  ｂｕｒｓｔ  ｓｅｔの例である。５ｍｓに対応する５スロットのうち、先頭の４スロットが、ＳＳ  ｂｌｏｃｋを含む。スロット＃０にＳＳＢ＃０及び＃１が配置され、スロット＃１にＳＳＢ＃２及び＃３が配置され、スロット＃２にＳＳＢ＃４及びＳＳＢ＃５が配置され、スロット＃３にＳＳＢ＃６及びＳＳＢ＃７が配置される。スロット内のシンボル上のＳＳ  ｂｌｏｃｋの配置は、図４Ａと同様でよい。
【００３１】
図５は、本発明の実施の形態におけるＳＳ  ｂｕｒｓｔ  ｓｅｔの構成例（２）を説明するための図である。図５において、無線フレーム上での５ｍｓ又は１ｍｓの時間単位でＳＳ  ｂｕｒｓｔ  ｓｅｔが構成された例を示している。
【００３２】
図５Ａは、ＳＳ  ｂｌｏｃｋが送信される無線信号のサブキャリア間隔が３０ｋＨｚの場合のＳＳ  ｂｕｒｓｔ  ｓｅｔのスロット内の構成例である。スロット内のシンボル＃４からシンボル＃７にＳＳＢ＃０が配置され、シンボル＃８からシンボル＃１１にＳＳＢ＃１が配置される。続くスロット内のシンボル＃２からシンボル＃５にＳＳＢ＃２が配置され、シンボル＃６からシンボル＃９にＳＳＢ＃３が配置される。ＳＳＢ＃０からＳＳＢ＃３が、連続する２スロットに配置される。３０ｋＨｚ  ＳＣＳである無線フレームは、ＳＳＢ及びデータの送受信に使用され、１５ｋＨｚ  ＳＣＳ及び６０ｋＨｚ  ＳＣＳである無線フレームは、データの送受信に使用される。
【００３３】
図５Ｂは、ＳＳ  ｂｌｏｃｋが送信される無線信号のサブキャリア間隔が３０ｋＨｚの場合のＳＳ  ｂｕｒｓｔ  ｓｅｔのスロット内の他の構成例である。スロット内のシンボル＃２からシンボル＃５にＳＳＢ＃０が配置され、シンボル＃８からシンボル＃１１にＳＳＢ＃１が配置される。続くスロット内のシンボル＃２からシンボル＃５にＳＳＢ＃２が配置され、シンボル＃８からシンボル＃１１にＳＳＢ＃３が配置される。ＳＳＢ＃０からＳＳＢ＃３が、連続する２スロットに配置される。３０ｋＨｚ  ＳＣＳである無線フレームは、ＳＳＢ及びデータの送受信に使用され、１５ｋＨｚ  ＳＣＳ及び６０ｋＨｚ  ＳＣＳである無線フレームは、データの送受信に使用される。
【００３４】
図５Ｃは、ＳＳ  ｂｌｏｃｋが送信される無線信号の周波数帯が０Ｈｚから３ＧＨｚまでの場合のＳＳ  ｂｕｒｓｔ  ｓｅｔの例を５ｍｓのスロット単位で示したものである。スロットは、時間順にスロット＃０からスロット＃９とする。図５Ｃに示されるように、スロット＃０にＳＳＢ＃０及びＳＳＢ＃１が配置され、スロット＃１にＳＳＢ＃２及びＳＳＢ＃３が配置される。
【００３５】
図５Ｄは、ＳＳ  ｂｌｏｃｋが送信される無線信号の周波数帯が３ＧＨｚから６ＧＨｚまでの場合のＳＳ  ｂｕｒｓｔ  ｓｅｔの例を５ｍｓのスロット単位で示したものである。スロットは、時間順にスロット＃０からスロット＃９とする。図５Ｄに示されるように、スロット＃０にＳＳＢ＃０及びＳＳＢ＃１が配置され、スロット＃１にＳＳＢ＃２及びＳＳＢ＃３が配置され、スロット＃２にＳＳＢ＃４及びＳＳＢ＃５が配置され、スロット＃３にＳＳＢ＃６及びＳＳＢ＃７が配置される。
【００３６】
図６は、本発明の実施の形態におけるＳＳ  ｂｕｒｓｔ  ｓｅｔの構成例（３）を説明するための図である。図６において、無線フレーム上での５ｍｓ又は０．２５ｍｓの時間単位でＳＳ  ｂｕｒｓｔ  ｓｅｔが構成された例を示している。
【００３７】
図６Ａは、ＳＳ  ｂｌｏｃｋが送信される無線信号のサブキャリア間隔が１２０ｋＨｚかつ周波数帯が６ＧＨｚから５２．６ＧＨｚの場合のＳＳ  ｂｕｒｓｔ  ｓｅｔの構成例である。５ｍｓのスロット単位で示した図においてスロットは、時間順にスロット＃０からスロット＃３９とする。スロット＃２０のシンボル＃４からシンボル＃７にＳＳＢ＃３２が配置され、シンボル＃８からシンボル＃１１にＳＳＢ＃３３が配置される。スロット＃２２のシンボル＃２からシンボル＃５にＳＳＢ＃３４が配置され、シンボル＃６からシンボル＃９にＳＳＢ＃３５が配置される。同様のスロット内の構成で、スロット＃０からスロット＃７はＳＳＢ＃０からＳＳＢ＃１５が配置され、スロット＃１０からスロット＃１７にＳＳＢ＃１６からＳＳＢ＃３１が配置され、スロット＃２０からスロット＃２７にＳＳＢ＃３２及びＳＳＢ＃４７が配置され、スロット＃３０からスロット＃３７にＳＳＢ＃４８からＳＳＢ＃６３が配置される。１２０ｋＨｚ  ＳＣＳである無線フレームは、ＳＳＢ及びデータの送受信に使用され、６０ｋＨｚ  ＳＣＳである無線フレームは、データの送受信に使用されてもよい。
【００３８】
図６Ｂは、ＳＳ  ｂｌｏｃｋが送信される無線信号のサブキャリア間隔が２４０ｋＨｚかつ周波数帯が６ＧＨｚから５２．６ＧＨｚの場合のＳＳ  ｂｕｒｓｔ  ｓｅｔの構成例である。５ｍｓのスロット単位で示した図においてスロットは、時間順にスロット＃０からスロット＃７９とするが、図６Ｂにおいては１マスが２スロットに対応するように図示している。スロット＃３２のシンボル＃８からシンボル＃１１にＳＳＢ＃５６が配置され、シンボル＃１２からスロット＃３３のシンボル＃１にＳＳＢ＃５７が配置され、シンボル＃２からシンボル＃５にＳＳＢ＃５８が配置され、シンボル＃６からシンボル＃９にＳＳＢ＃５９が配置される。スロット＃３４のシンボル＃４からシンボル＃７にＳＳＢ＃６０が配置され、シンボル＃８からシンボル＃１１にＳＳＢ＃６１が配置され、シンボル＃１２からスロット＃３５のシンボル＃１にＳＳＢ＃６２が配置され、シンボル＃２からシンボル＃５にＳＳＢ＃６３が配置される。同様のスロット内の構成で、スロット＃０からスロット＃１５はＳＳＢ＃０からＳＳＢ＃３１が配置され、スロット＃２０からスロット＃３５にＳＳＢ＃３２からＳＳＢ＃６３が配置される。２４０ｋＨｚ  ＳＣＳである無線フレームは、ＳＳＢの送受信に使用され、６０ｋＨｚ  ＳＣＳ及び１２０ｋＨｚ  ＳＣＳである無線フレームは、データの送受信に使用されてもよい。
【００３９】
図７は、本発明の実施の形態におけるＳＳ  ｂｌｏｃｋに関連付けられたＲＡＣＨリソースを説明するための図である。図７に示されるように、ＮＲにおいて、基地局装置１００からビームに関連付けられたＳＳ  ｂｌｏｃｋを含むＳＳ  ｂｕｒｓｔ  ｓｅｔが送信される。ユーザ装置２００は、検出可能なＳＳ  ｂｌｏｃｋを受信して、受信したＳＳ  ｂｌｏｃｋに関連付けられたＲＡＣＨリソースでプリアンブルを送信して初期アクセス手順を開始する。ＲＡＣＨリソースは、ビームに関連付けられていてもよい。
【００４０】
図７に示される例では、ＳＳ  ｂｕｒｓｔ  ｓｅｔに含まれる４番目のＳＳ  ｂｌｏｃｋをユーザ装置２００は受信し、４番目のＳＳ  ｂｌｏｃｋに関連付けられているＲＡＣＨリソース２で、プリアンブルを送信する。また、図４に示される例では、ＳＳ  ｂｕｒｓｔ  ｓｅｔに含まれる２番目のＳＳ  ｂｌｏｃｋは、ＲＡＣＨリソース１に関連付けられ、ＳＳ  ｂｕｒｓｔ  ｓｅｔに含まれる６番目のＳＳ  ｂｌｏｃｋは、ＲＡＣＨリソース３に関連付けられている。また、ＳＳ  ｂｌｏｃｋには、対応するＳＳ  ｂｌｏｃｋ  ｉｎｄｅｘが存在し、例えば、ＳＳ  ｂｕｒｓｔ  ｓｅｔに含まれる４番目のＳＳ  ｂｌｏｃｋのＳＳ  ｂｌｏｃｋ  ｉｎｄｅｘは、「４」と定義される。
【００４１】
すなわち、図７に示されるように、ＳＳ  ｂｌｏｃｋと、ＲＡＣＨリソース又はｐｒｅａｍｂｌｅ  ｉｎｄｅｘとはそれぞれ関連付けられていてもよい。また、例えば１つのＳＳ  ｂｌｏｃｋに対して、複数のＲＡＣＨリソース又はｐｒｅａｍｂｌｅ  ｉｎｄｅｘが関連付けられていてもよい。また、時間方向の複数のＲＡＣＨリソース、周波数方向の複数のＲＡＣＨリソース又は複数のｐｒｅａｍｂｌｅ  ｉｎｄｅｘの範囲が、それぞれＳＳ  ｂｌｏｃｋごとに関連付けられていてもよい。
【００４２】
ＮＲにおいて、ＬＴＥ同様に、ＲＡＣＨ  ｃｏｎｆｉｇｕｒａｔｉｏｎ  ｔａｂｌｅが定義され、ｔａｂｌｅを指定するインデックスが基地局装置１００からユーザ装置２００に、利用可能であるＲＡＣＨリソースの時間領域の位置、数、密度等が通知される。通知された利用可能であるＲＡＣＨリソースのそれぞれと、ＳＳ  ｂｌｏｃｋとの関連付けが、基地局装置１００からユーザ装置２００に通知されてもよいし、予め規定されてもよい。
【００４３】
図８は、本発明の実施の形態におけるスロットのフォーマットの例（１）を示す図である。図８は、ＮＲにおけるスロットのフォーマットにおいて、連続した２スロットがダウンリンクスロット（Ｄｏｗｎｌｉｎｋ  ｓｌｏｔ）及びアップリンクスロット（Ｕｐｌｉｎｋ  ｓｌｏｔ）で構成される例である。なお、図８に示される例では、フォーマット（Ｆｏｒｍａｔ）は「０」、「１」、「２」、「３」及び「４」の５通り定義されている。各フォーマットでは、スロットを構成するシンボルの用途が規定されている。ダウンリンクスロットにおけるシンボルの種別は、ダウンリンクに使用される「Ｄｏｗｎｌｉｎｋ」、ダウンリンク又はアップリンクに使用されるか定められていない「Ｕｎｋｎｏｗｎ」、ダウンリンクに使用されない「Ｎｏｔ  ｄｏｗｎｌｉｎｋ」のいずれかである。アップリンクスロットにおけるシンボルの種別は、アップリンクに使用されない「Ｎｏｔ  ｕｐｌｉｎｋ」、アップリンク又はダウンリンクに使用されるか定められていない「Ｕｎｋｎｏｗｎ」、アップリンクに使用される「Ｕｐｌｉｎｋ」のいずれかである。なお、１スロットは、１４シンボルで構成される。以下、あるスロットにおけるｎ番目のシンボルをシンボル＃ｎと記載する。
【００４４】
フォーマット「０」において、ダウンリンクスロットは、シンボル＃０からシンボル＃１３が「Ｕｎｋｎｏｗｎ」として使用され、アップリンクスロットは、シンボル＃０からシンボル＃１３が「Ｕｎｋｎｏｗｎ」として使用される。フォーマット「１」において、ダウンリンクスロットは、シンボル＃０からシンボル＃１３が「Ｄｏｗｎｌｉｎｋ」として使用され、アップリンクスロットは、シンボル＃０からシンボル＃１３が「Ｕｐｌｉｎｋ」として使用される。フォーマット「２」において、ダウンリンクスロットは、シンボル＃０からシンボル＃１３が「Ｄｏｗｎｌｉｎｋ」として使用され、アップリンクスロットは、既定されない。フォーマット「３」において、ダウンリンクスロットは、既定されず、アップリンクスロットは、シンボル＃０からシンボル＃１３が「Ｄｏｗｎｌｉｎｋ」として使用される。フォーマット「４」において、ダウンリンクスロットは、シンボル＃０が「Ｄｏｗｎｌｉｎｋ」、シンボル＃１からシンボル＃１２が「Ｕｎｋｎｏｗｎ」、シンボル＃１３が「Ｎｏｔ  ｄｏｗｎｌｉｎｋ」として使用され、アップリンクスロットは、シンボル＃０が「Ｎｏｔ  ｕｐｌｉｎｋ」、シンボル＃１からシンボル＃１２が「Ｕｎｋｎｏｗｎ」、シンボル＃１３が「Ｕｐｌｉｎｋ」として使用される。図８に示されるフォーマットは例であり、各シンボルは自由に用途を指定されてよい。
【００４５】
図９は、本発明の実施の形態におけるスロットのフォーマットの例（２）を示す図である。図９は、１０スロットの期間において、ＤＬ、ＵＬ、Ｕｎｋｎｏｗｎであるスロット又はシンボルが規定されるフォーマットを有するＤＬ／ＵＬ  ａｓｓｉｇｎｍｅｎｔである。
【００４６】
図９に示されるフォーマットを通知するため、基地局装置１００から下記のパラメータがユーザ装置２００に通知されてもよい。
１）Ｔｏｔａｌ  ｎｕｍｂｅｒ  ｏｆ  ｓｌｏｔｓ：スロットの総数
２）Ｎｕｍｂｅｒ  ｏｆ  ＤＬ  ｆｕｌｌ  ＤＬ  ｓｌｏｔｓ：すべてＤＬシンボルが配置されるフルＤＬスロットの総数
３）Ｎｕｍｂｅｒ  ｏｆ  ＤＬ  ｓｙｍｂｏｌｓ：あるスロット（図９では５番目のスロット）におけるＤＬシンボルの数
４）Ｎｕｍｂｅｒ  ｏｆ  ＵＬ  ｓｙｍｂｏｌｓ：あるスロット（ＵＬシンボルの数
５）Ｎｕｍｂｅｒ  ｏｆ  ｆｕｌｌ  ＵＬ  ｓｌｏｔｓ：すべてＵＬシンボルが配置されるフルＵＬスロットの総数
なお、上記のパラメータは、すべてユーザ装置２００に通知されなくてもよく、一部が予め規定されてもよい。
【００４７】
図８で説明したフォーマットと異なり、図９においては、ＤＬシンボルのみが配置されるスロットの数、一部ＤＬシンボルが配置されるスロットにおけるＤＬシンボル数、一部ＵＬシンボルが配置されるスロットにおけるＵＬシンボル数、ＵＬシンボルのみが配置されるスロットの数がユーザ装置２００に通知されてもよい。また、図９においては１０スロットである、フォーマットが繰り返される周期を示すスロットの総数が、ユーザ装置２００に通知又は予め規定されてもよい。スロットの総数は、時間長で示されてもよく、図９に示されるように、例えば、０．５ｍｓ、１ｍｓ、２ｍｓ、５ｍｓ、１０ｍｓ等でユーザ装置２００に通知又は予め規定されてもよい。なお、ＤＬ又はＵＬに使用されることが指定されていない位置が「ｕｎｋｎｏｗｎ」である。図９に示されるフォーマットにおいて、時間領域で、すべてＤＬシンボルが配置されるフルＤＬスロット、次に「ｕｎｋｎｏｗｎ」を含むスロット、最後にすべてＵＬシンボルが配置されるフルＵＬスロットの順で配置される。
【００４８】
ここで、ＮＲにおいては、図３で説明したＳＳ  ｂｌｏｃｋの時間領域の送信候補位置を示す数Ｌは定められている。一方、実際に送信されるＳＳ  ｂｌｏｃｋは、Ｌ以下の数で自由に送信される。したがって、すべてのＳＳ  ｂｌｏｃｋの配置パターンに適合する時間領域に関するＲＡＣＨ  ｃｏｎｆｉｇｕｒａｔｉｏｎ  ｔａｂｌｅ、すなわちＲＡＣＨリソースの時間領域の位置を定めることは困難である。
【００４９】
また、ＬＴＥにおけるＴＤＤ  ｃｏｎｆｉｇｕｒａｔｉｏｎと比較して、図８に示されるようにＮＲでは柔軟なＤＬ／ＵＬ  ａｓｓｉｇｎｍｅｎｔが可能であり、２スロットを超える長い期間のＤＬ／ＵＬ  ａｓｓｉｇｎｍｅｎｔを規定するフォーマットが使用されることも想定される。そのため、すべてのＤＬ／ＵＬパターンに適合する時間領域に関するＲＡＣＨ  ｃｏｎｆｉｇｕｒａｔｉｏｎ  ｔａｂｌｅを定めることは困難である。
【００５０】
また、図９に示されるフォーマットが使用される場合、当該フォーマットのスロット総数ごとの後半スロットにのみＵＬが存在することが考えられるため、ＲＡＣＨリソースの時間領域における配置を決定するとき、フォーマットのスロット総数を考慮する必要が生じる。
【００５１】
図１０は、本発明の実施の形態におけるＲＡＣＨリソースの配置例（１）を示す図である。図１０は、ＮＲにおけるＲＡＣＨ  ｃｏｎｆｉｇｕｒａｔｉｏｎ  ｔａｂｌｅによって利用可能なＲＡＣＨリソースがダウンリンクスロット及びアップリンクスロットに配置される例である。細い枠線は１シンボルを示しており、太い枠線は１ＲＡＣＨリソースを示している。
【００５２】
報知情報等でユーザ装置２００に通知されたＤＬ／ＵＬ  ａｓｓｉｇｎｍｅｎｔに基づいて、報知情報等でユーザ装置２００に通知されたＲＡＣＨ  ｃｏｎｆｉｇｕｒａｔｉｏｎ  ｔａｂｌｅ又はｔａｂｌｅを指定するインデックスに基づいて割り当てられたＲＡＣＨリソースの時間領域の位置のうち、ＵＬに対応するリソース（シンボル）以外に配置されたＲＡＣＨリソースは、使用可能なＲＡＣＨリソースから除外されてもよい。すなわち、ＲＡＣＨ  ｃｏｎｆｉｇｕｒａｔｉｏｎ  ｔａｂｌｅ又はｔａｂｌｅを指定するインデックスに基づいて割り当てられたＲＡＣＨリソースの時間領域の位置のうち、除外されたＲＡＣＨリソース以外のＲＡＣＨリソースをユーザ装置２００は使用することができる。当該除外されたＲＡＣＨリソース以外のＲＡＣＨリソースに対して、ＳＳ  ｂｌｏｃｋとの関連付けが規定されてもよい。また、当該除外されたＲＡＣＨリソースは、基地局装置１００において、データチャネル又は制御チャネルのスケジューリングに使用されてもよい。
【００５３】
図１０Ａは、ＰＲＡＣＨ  ｐｒｅａｍｂｌｅ  ｆｏｒｍａｔの時間長が１シンボルであり、スロットフォーマットが図８で説明した「Ｆｏｒｍａｔ  ４」である場合の利用可能なＲＡＣＨリソースを示している。「Ｆｏｒｍａｔ  ４」において、ダウンリンクスロットにおいてシンボル＃０は「Ｄｏｗｎｌｉｎｋ」であり、シンボル＃１からシンボル＃１２は「Ｕｎｋｎｏｗｎ」であり、シンボル＃１３は「Ｎｏｔ  ｄｏｗｎｌｉｎｋ」である。また、アップリンクスロットにおいて、シンボル＃０は「Ｎｏｔ  ｕｐｌｉｎｋ」であり、シンボル＃１からシンボル＃１２は「Ｕｎｋｎｏｗｎ」であり、シンボル＃１３は「Ｕｐｌｉｎｋ」である。ダウンリンクスロットにおける「Ｄｏｗｎｌｉｎｋ」及び「Ｕｎｋｎｏｗｎ」であるシンボルと重なるＲＡＣＨリソースが除外され、「Ｎｏｔ  ｄｏｗｎｌｉｎｋ  ｓｙｍｂｏｌ」であるシンボルと重なるＲＡＣＨリソースが利用可能とされる。またアップリンクスロットにおける「Ｎｏｔ  ｕｐｌｉｎｋ  ｓｙｍｂｏｌ」及び「Ｕｎｋｎｏｗｎ」であるシンボルと重なるＲＡＣＨリソースが除外され、「Ｕｐｌｉｎｋ」であるシンボルと重なるＲＡＣＨリソースが利用可能とされる。したがって、図１０Ａに示されるように、ダウンリンクスロットのシンボル＃１３及びアップリンクスロットのシンボル＃１３が、利用可能なＲＡＣＨリソースとなる。
【００５４】
図１０Ｂは、ＰＲＡＣＨ  ｐｒｅａｍｂｌｅ  ｆｏｒｍａｔの時間長が２シンボルであり、スロットフォーマットが図８で説明した「Ｆｏｒｍａｔ  ４」である場合を示している。「Ｆｏｒｍａｔ  ４」において、ダウンリンクスロットにおいてシンボル＃０は「Ｄｏｗｎｌｉｎｋ」であり、シンボル＃１からシンボル＃１２は「Ｕｎｋｎｏｗｎ」であり、シンボル＃１３は「Ｎｏｔ  ｄｏｗｎｌｉｎｋ」である。また、アップリンクスロットにおいて、シンボル＃０は「Ｎｏｔ  ｕｐｌｉｎｋ」であり、シンボル＃１からシンボル＃１２は「Ｕｎｋｎｏｗｎ」であり、シンボル＃１３は「Ｕｐｌｉｎｋ」である。ダウンリンクスロットにおける「Ｄｏｗｎｌｉｎｋ」及び「Ｕｎｋｎｏｗｎ」であるシンボルと重なるＲＡＣＨリソースを除外し、「Ｎｏｔ  ｄｏｗｎｌｉｎｋ  ｓｙｍｂｏｌ」であるシンボルと重なるＲＡＣＨリソースを利用可能としている。またアップリンクスロットにおける「Ｎｏｔ  ｕｐｌｉｎｋ  ｓｙｍｂｏｌ」及び「Ｕｎｋｎｏｗｎ」であるシンボルと重なるＲＡＣＨリソースを除外し、「Ｕｐｌｉｎｋ」であるシンボルと重なるＲＡＣＨリソースを利用可能としている。したがって、図１０Ｂに示されるように、ダウンリンクスロットのシンボル＃１３及びアップリンクスロットのシンボル＃１３が、利用可能なＲＡＣＨリソースとなる。しかしながら、ＰＲＡＣＨ  ｐｒｅａｍｂｌｅ  ｆｏｒｍａｔの時間長が２シンボルであるため、利用可能なＲＡＣＨリソースはない。
【００５５】
図１０Ｃは、ＰＲＡＣＨ  ｐｒｅａｍｂｌｅ  ｆｏｒｍａｔの時間長が１シンボルであり、スロットフォーマットが図８で説明した「Ｆｏｒｍａｔ  １」である場合の利用可能なＲＡＣＨリソースを示している。「Ｆｏｒｍａｔ  １」において、ダウンリンクスロットにおいてシンボル＃０からシンボル＃１３は「Ｄｏｗｎｌｉｎｋ」であり、アップリンクスロットにおいて、シンボル＃０からシンボル＃１３は「Ｕｐｌｉｎｋ」である。ダウンリンクスロットにおける「Ｄｏｗｎｌｉｎｋ」であるシンボルと重なるＲＡＣＨリソースが除外される。またアップリンクスロットにおける「Ｕｐｌｉｎｋ」であるシンボルと重なるＲＡＣＨリソースが利用可能とされる。したがって、図１０Ｃに示されるように、ダウンリンクスロットのシンボル＃１３及びアップリンクスロットのシンボル＃１３が、利用可能なＲＡＣＨリソースとなる。
【００５６】
また、他の例として、ダウンリンクスロットにおける「Ｄｏｗｎｌｉｎｋ」及び「Ｕｎｋｎｏｗｎ」であるシンボルと重なるＲＡＣＨリソースが除外され、「Ｎｏｔ  ｄｏｗｎｌｉｎｋ  ｓｙｍｂｏｌ」であるシンボルと重なるＲＡＣＨリソースが利用可能とされてもよい。また、他の例として、アップリンクスロットにおける「Ｎｏｔ  ｕｐｌｉｎｋ  ｓｙｍｂｏｌ」であるシンボルと重なるＲＡＣＨリソースが除外され、及び「Ｕｎｋｎｏｗｎ」及び「Ｕｐｌｉｎｋ」であるシンボルと重なるＲＡＣＨリソースが利用可能とされてもよい。
【００５７】
図１１は、本発明の実施の形態におけるＲＡＣＨリソースの例（２）を示す図である。
図１１において、ＮＲにおけるＲＡＣＨ  ｃｏｎｆｉｇｕｒａｔｉｏｎ  ｔａｂｌｅによって利用可能なＲＡＣＨリソースが、図９で説明したフォーマットのスロットに配置される例を説明する。細い枠線は１スロット又は１シンボルを示しており、太い枠線はＲＡＣＨリソースの候補を示している。なお、ＰＲＡＣＨ  ｐｒｅａｍｂｌｅ  ｆｏｒｍａｔの時間長が１シンボルである場合のあるスロットにおける利用可能なＲＡＣＨリソースを示している。
【００５８】
図１１に示されるように、「Ｄｏｗｎｌｉｎｋ  ｒｅｇｉｏｎ」に割り当てられるＲＡＣＨリソースは除外される。一方、「Ｕｐｌｉｎｋ  ｒｅｇｉｏｎ」に割り当てられるＲＡＣＨリソースは利用可能である。図１１に示される「Ｕｎｋｎｏｗｎ」と「Ｕｐｌｉｎｋ  ｒｅｇｉｏｎ」とを含むスロットにおいては、シンボル単位でＲＡＣＨリソースを利用可能か否かが定められる。「Ｕｐｌｉｎｋ  ｒｅｇｉｏｎ」に含まれるシンボルに割り当てられるＲＡＣＨリソースは、利用可能である。一方、「Ｕｎｋｎｏｗｎ」に含まれるシンボルに割り当てられるＲＡＣＨリソースは、利用可否を通知又は予め規定されてもよい。
【００５９】
すなわち、図１１に示されるフォーマットを有するＤＬ／ＵＬ  ａｓｓｉｇｎｍｅｎｔが適用されている場合に、ＤＬスロット又はＤＬシンボルとして明確に割り当てられた範囲に含まれるＲＡＣＨリソースは、使用可能なＲＡＣＨリソースから除外される。また、ＤＬスロット、ＤＬシンボル、ＵＬスロット又はＵＬシンボルいずれにも明確に割り当てられなかったＵｎｋｎｏｗｎの範囲と重なるＲＡＣＨリソースは、使用可能なＲＡＣＨリソースから除外される。
【００６０】
また、他の例として、図１１に示されるフォーマットを有するＤＬ／ＵＬ  ａｓｓｉｇｎｍｅｎｔが適用されている場合に、ＤＬスロット又はＤＬシンボルとして明確に割り当てられた範囲に含まれるＲＡＣＨリソースは、使用可能なＲＡＣＨリソースから除外される。また、ＤＬスロット、ＤＬシンボル、ＵＬスロット又はＵＬシンボルいずれにも明確に割り当てられなかったＵｎｋｎｏｗｎの範囲と重なるＲＡＣＨリソースは、使用可能なＲＡＣＨリソースとして利用してもよい。
【００６１】
また、他の例として、図１１に示されるフォーマットを有するＤＬ／ＵＬ  ａｓｓｉｇｎｍｅｎｔが適用され、スロット総数が基地局装置１００からユーザ装置２００に通知されるか予め規定されている場合、スロット総数の時間長に基づいて、ＲＡＣＨ  ｃｏｎｆｉｇｕｒａｔｉｏｎ  ｔａｂｌｅのインデックスとして指定される時間領域におけるＲＡＣＨリソースが、ユーザ装置２００に暗黙的又は明示的に通知されてもよい。
【００６２】
ＲＡＣＨ  ｃｏｎｆｉｇｕｒａｔｉｏｎ  ｔａｂｌｅにおける時間領域の通知単位としては、シンボル単位で通知されてもよいし、スロット単位で通知されてもよいし、サブフレーム単位すなわち１ｍｓ単位で通知されてもよいし、ＳＦＮ単位すなわち１０ｍｓ単位で通知されてもよい。
【００６３】
大きな時間長の単位で、ＲＡＣＨ  ｃｏｎｆｉｇｕｒａｔｉｏｎ  ｔａｂｌｅにおける時間領域を示す情報が通知された場合、当該大きな時間長よりも小さな時間長の単位の部分すべてでＲＡＣＨリソースが配置されることとしてもよいし、小さな時間長の単位の部分の一部がどのように配置されるかが、さらにＲＡＣＨ  ｃｏｎｆｉｇｕｒａｔｉｏｎ  ｔａｂｌｅによって通知、もしくは予め規定されてもよい。例えば、時間長がサブフレーム単位で通知された場合、さらに、偶数スロット、かつシンボル＃３から＃１３までがＲＡＣＨリソースとして配置されるとＲＡＣＨ  ｃｏｎｆｉｇｕｒａｔｉｏｎ  ｔａｂｌｅによって通知されてもよい。
【００６４】
また、他の例として、図１１に示されるフォーマットを有するＤＬ／ＵＬ  ａｓｓｉｇｎｍｅｎｔが適用され、スロット総数ごとのＲＡＣＨリソースの配置の密度が、ＲＡＣＨ  ｃｏｎｆｉｇｕｒａｔｉｏｎ  ｔａｂｌｅによって通知されてもよい。例えば、スロット総数が４回繰り返しとなる周期で、ＲＡＣＨリソースが配置されるようなＲＡＣＨ  ｃｏｎｆｉｇｕｒａｔｉｏｎ  ｔａｂｌｅのインデックスが定義されてもよい。また、例えば、スロット総数が１回繰り返しとなる周期で、ＲＡＣＨリソースが配置されるようなＲＡＣＨ  ｃｏｎｆｉｇｕｒａｔｉｏｎ  ｔａｂｌｅのインデックスが定義されてもよい。つまり、実際の繰り返し周期の絶対値はスロット総数に依存して決定される。
【００６５】
また、他の例として、想定されるスロット総数ごとに、ＲＡＣＨ  ｃｏｎｆｉｇｕｒａｔｉｏｎ  ｔａｂｌｅのインデックスが定義されてもよい。例えば、１ｍｓのスロット総数を想定して、高密度配置の１ｍｓ周期のＲＡＣＨリソース配置、もしくは低密度配置の４ｍｓ周期のＲＡＣＨリソース配置等がＲＡＣＨ  ｃｏｎｆｉｇｕｒａｔｉｏｎ  ｔａｂｌｅのインデックスごとに定義されてもよい。
【００６６】
また、ＲＡＣＨ  ｃｏｎｆｉｇｕｒａｔｉｏｎ  ｔａｂｌｅのインデックスごとで想定されるスロット総数と同じスロット総数が、基地局装置１００から通知された場合に限定して、当該インデックスが利用されてもよい。さらに、別のスロット総数が基地局装置１００から通知された場合であっても、当該インデックスが利用されてもよい。例えば、１ｍｓのスロット総数を想定した４ｍｓ周期のＲＡＣＨリソース配置がＲＡＣＨ  ｃｏｎｆｉｇｕｒａｔｉｏｎ  ｔａｂｌｅのあるインデックスによって指定されている場合、同一のインデックスを用いて、例えば、４ｍｓのスロット総数を想定した、高密度のＲＡＣＨリソース配置が行われてもよい。
【００６７】
また、他の例として、スロット総数として取り得る最大の値、例えば１０ｍｓの倍数となる周期で、ＲＡＣＨリソースが配置されるようにＲＡＣＨ  ｃｏｎｆｉｇｕｒａｔｉｏｎ  ｔａｂｌｅが定義されてもよい。
【００６８】
図１２は、本発明の実施の形態におけるＲＡＣＨリソースの例（３）を示す図である。
図１２は、ＮＲにおけるＲＡＣＨ  ｃｏｎｆｉｇｕｒａｔｉｏｎ  ｔａｂｌｅによって利用可能なＲＡＣＨリソースが、ＳＳ  ｂｌｏｃｋを時間領域において含むスロットに配置される例である。細い枠線は１シンボルを示しており、太い枠線は１ＲＡＣＨリソースを示している。
【００６９】
報知情報等でユーザ装置２００に通知されたＲＡＣＨ  ｃｏｎｆｉｇｕｒａｔｉｏｎ  ｔａｂｌｅ又はｔａｂｌｅを指定するインデックスに基づいて割り当てられたＲＡＣＨリソースの時間領域の位置のうち、実際に送信されるＳＳ  ｂｌｏｃｋと時間領域でオーバラップするスロットに配置されたＲＡＣＨリソースは、当該スロット内のＲＡＣＨリソースの一部又は全部が使用可能なＲＡＣＨリソースから除外されてもよい。複信方式がＴＤＤである場合のみ、上記の実際に送信されるＳＳ  ｂｌｏｃｋの時間領域における位置に基づくＲＡＣＨリソースの除外は適用されてもよい。当該除外されたＲＡＣＨリソース以外のＲＡＣＨリソースに対して、ＳＳ  ｂｌｏｃｋとの関連付けが規定されてもよい。また、当該除外されたＲＡＣＨリソースは、基地局装置１００において、データチャネル又は制御チャネルのスケジューリングに使用されてもよい。
【００７０】
図１２Ａは、ＰＲＡＣＨ  ｐｒｅａｍｂｌｅ  ｆｏｒｍａｔの時間長が１シンボルである場合のあるスロットにおける利用可能なＲＡＣＨリソースを示している。ＳＳ  ｂｌｏｃｋとオーバラップするスロットにおいて、実際に送信される最後のＳＳ  ｂｌｏｃｋよりも時間領域で後に存在するＲＡＣＨリソースが利用可能とされてもよい。すなわち、図１２Ａの１番目に示されるスロットにおいて、ＳＳ  ｂｌｏｃｋが、シンボル＃２からシンボル＃５、及びシンボル＃８からシンボル＃１１に配置されているため、シンボル＃１２及びシンボル＃１３が利用可能なＲＡＣＨリソースである。また、図１２Ａの２番目に示されるスロットにおいて、ＳＳ  ｂｌｏｃｋがシンボル＃２からシンボル＃５に配置されているため、シンボル＃６からシンボル＃１３までが利用可能なＲＡＣＨリソースである。また、図１２Ａの３番目に示されるスロットにおいて、ＳＳ  ｂｌｏｃｋがシンボル＃８からシンボル＃１１に配置されているため、シンボル＃１２及びシンボル＃１３が利用可能なＲＡＣＨリソースである。
【００７１】
また、他の例として、図１２Ｂは、ＰＲＡＣＨ  ｐｒｅａｍｂｌｅ  ｆｏｒｍａｔの時間長が１シンボルである場合のあるスロットにおける利用可能なＲＡＣＨリソースを示しており、ＳＳ  ｂｌｏｃｋとオーバラップするスロットにおいて、実際に送信されるＳＳ  ｂｌｏｃｋが２つである場合の例である。当該２つのＳＳ  ｂｌｏｃｋの送信候補位置のうち、時間領域で前方のＳＳ  ｂｌｏｃｋのみが実際に送信された場合は、前方のＳＳ  ｂｌｏｃｋが含まれるシンボルより時間領域で後方のシンボルに存在するＲＡＣＨリソースは使用可能である。当該２つのＳＳ  ｂｌｏｃｋのうち、時間領域で後方のＳＳ  ｂｌｏｃｋ又は２つのＳＳ  ｂｌｏｃｋ両方が実際に送信された場合は、スロットにおけるすべてのＲＡＣＨリソースは使用可能なＲＡＣＨリソースから除外される。すなわち、図１２Ｂの１番目に示されるスロットにおいて、２つのＳＳ  ｂｌｏｃｋが両方ともに送信されているため、スロット内に利用可能なＲＡＣＨリソースはない。図１２Ｂの２番目に示されるスロットにおいて、２つのＳＳ  ｂｌｏｃｋのうち時間領域において前方のＳＳ  ｂｌｏｃｋが送信されているため、シンボル＃６からシンボル＃１３までが利用可能なＲＡＣＨリソースである。図１２Ｂの３番目に示されるスロットにおいて、２つのＳＳ  ｂｌｏｃｋの送信候補位置のうち時間領域において後方のＳＳ  ｂｌｏｃｋが送信されているため、スロット内に利用可能なＲＡＣＨリソースはない。
【００７２】
また、他の例として、スロットをさらに半分にした領域、すなわち前半７シンボルと後半７シンボルに分けたハーフスロットにおいて、ＳＳ  ｂｌｏｃｋが送信されるハーフスロットに存在するＲＡＣＨリソースを利用可能なＲＡＣＨリソースから除外してもよい。
【００７３】
また、他の例として、ＤＬ／ＵＬ  ａｓｓｉｇｎｍｅｎｔ又はＳＳ  ｂｌｏｃｋの時間領域における位置によらず、ＲＡＣＨ  ｃｏｎｆｉｇｕｒａｔｉｏｎ  ｔａｂｌｅによってＲＡＣＨリソースの時間領域における位置を示す情報を基地局装置１００はユーザ装置２００に通知してもよい。
【００７４】
例えば、利用可能なＲＡＣＨリソースのうち、ｋ番目のスロット又はｎ番目のシンボルにＲＡＣＨリソースを配置することを示す情報を基地局装置１００はユーザ装置２００に通知してもよい。利用可能なＲＡＣＨリソースは、上述したシンボルの用途「Ｎｏｔ  ｄｏｗｎｌｉｎｋ」、「ｕｐｌｉｎｋ」又はスロット内でＳＳ  ｂｌｏｃｋより時間領域において後方に配置されるシンボルによって、規定されてもよい。
【００７５】
また、他の例として、ＰＲＡＣＨのサブキャリア間隔ごとに、異なるＲＡＣＨ  ｃｏｎｆｉｇｕｒａｔｉｏｎ  ｔａｂｌｅが定義されてもよい。同一のプリアンブルフォーマットであっても、ＰＲＡＣＨのサブキャリア間隔によって、プリアンブルの時間長が異なるため、共通のＲＡＣＨ  ｃｏｎｆｉｇｕｒａｔｉｏｎ  ｔａｂｌｅでは、ＤＬ／ＵＬ  ａｓｓｉｇｎｍｅｎｔ又はＳＳ  ｂｌｏｃｋの位置を考慮したＲＡＣＨリソースの時間領域における適切な位置を、ｔａｂｌｅを指定するインデックスで設定することが困難になるためである。
【００７６】
例えば、ＰＲＡＣＨの系列長が、ｌｏｎｇ  ｓｅｑｕｅｎｃｅ、すなわち８３９であって、１．２５ｋＨｚ又は５ｋＨｚのＰＲＡＣＨのサブキャリア間隔が適用される場合、ｌｏｎｇ  ｓｅｑｕｅｎｃｅ用に１つのＲＡＣＨ  ｃｏｎｆｉｇｕｒａｔｉｏｎ  ｔａｂｌｅが規定されてもよい。
【００７７】
一方、ＰＲＡＣＨの系列長が、ｓｈｏｒｔ  ｓｅｑｕｅｎｃｅ、すなわち１３９であって、周波数帯が６ＧＨｚ以下の時に１５ｋＨｚ又は３０ｋＨｚのＰＲＡＣＨのサブキャリア間隔が適用され、周波数帯が６ＧＨｚ以上の時に６０ｋＨｚ又は１２０ｋＨｚのＰＲＡＣＨのサブキャリア間隔が適用される場合、ｓｈｏｒｔ  ｓｅｑｕｅｎｃｅ用にそれぞれのＰＲＡＣＨのサブキャリア間隔に対応する異なる４つのＲＡＣＨ  ｃｏｎｆｉｇｕｒａｔｉｏｎ  ｔａｂｌｅが規定されてもよい。
【００７８】
なお、ｌｏｎｇ  ｓｅｑｕｅｎｃｅ用には、１ｍｓのｓｌｏｔ長を基準にＲＡＣＨ  ｃｏｎｆｉｇｕｒａｔｉｏｎ  ｔａｂｌｅが規定されてもよい。また、１５ｋＨｚ／３０ｋＨｚ／６０ｋＨｚ／１２０ｋＨｚごとに対応するｓｌｏｔ長、すなわち１ｍｓ／０．５ｍｓ／０．２５ｍｓ／０．１２５ｍｓを基準にＲＡＣＨ  ｃｏｎｆｉｇｕｒａｔｉｏｎ  ｔａｂｌｅが規定されてもよい。
【００７９】
上述の実施例において、ユーザ装置２００は、基地局装置１００から通知されるＲＡＣＨ  ｃｏｎｆｉｇｕｒａｔｉｏｎ  ｔａｂｌｅにおけるインデックスに基づいて割り当てられたＲＡＣＨリソースの時間領域の位置のうち、ＤＬ／ＵＬ  ａｓｓｉｇｎｍｅｎｔ又はＳＳ  ｂｌｏｃｋの配置に基づいて除外されたＲＡＣＨリソース以外のＲＡＣＨリソースを使用することができる。また、ＰＲＡＣＨのサブキャリア間隔ごとに、異なるＲＡＣＨ  ｃｏｎｆｉｇｕｒａｔｉｏｎ  ｔａｂｌｅが規定されてもよい。
すなわち、無線通信システムの初期アクセスにおいて、使用可能なリソースを効率良くユーザ装置に通知することができる。
【００８０】
（装置構成）
次に、これまでに説明した処理及び動作を実行する基地局装置１００及びユーザ装置２００の機能構成例を説明する。基地局装置１００及びユーザ装置２００はそれぞれ、少なくとも実施例を実施する機能を含む。ただし、基地局装置１００及びユーザ装置２００はそれぞれ、実施例の中の一部の機能のみを備えることとしてもよい。
【００８１】
図１３は、基地局装置１００の機能構成の一例を示す図である。図１３に示されるように、基地局装置１００は、送信部１１０と、受信部１２０と、設定情報管理部１３０と、初期アクセス設定部１４０とを有する。図１３に示される機能構成は一例に過ぎない。本発明の実施の形態に係る動作を実行できるのであれば、機能区分及び機能部の名称はどのようなものでもよい。
【００８２】
送信部１１０は、ユーザ装置２００側に送信する信号を生成し、当該信号を無線で送信する機能を含む。受信部１２０は、ユーザ装置２００から送信された各種の信号を受信し、受信した信号から、例えばより上位のレイヤの情報を取得する機能を含む。また、送信部１１０は、ユーザ装置２００へＮＲ−ＰＳＳ、ＮＲ−ＳＳＳ、ＮＲ−ＰＢＣＨ、ＤＬ／ＵＬ制御信号等を送信する機能を有する。また、送信部１１０は、ユーザ装置２００に送信電力制御に関する情報及びスケジューリングに関する情報を送信し、受信部１２０は、ユーザ装置２００からプリアンブル及び初期アクセスに係るメッセージを受信する。
【００８３】
設定情報管理部１３０は、予め設定される設定情報、及び、ユーザ装置２００に送信する各種の設定情報を格納する。設定情報の内容は、例えば、初期アクセスに使用する情報等である。
【００８４】
初期アクセス設定部１４０は、実施例において説明した、基地局装置１００におけるユーザ装置２００への同期信号及び初期アクセスに使用する情報を含むシステム情報の送信に係る制御、及びユーザ装置２００からの初期アクセスに係る制御を行う。
【００８５】
図１４は、ユーザ装置２００の機能構成の一例を示す図である。図１４に示されるように、ユーザ装置２００は、送信部２１０と、受信部２２０と、設定情報管理部２３０と、初期アクセス制御部２４０とを有する。図１４に示される機能構成は一例に過ぎない。本発明の実施の形態に係る動作を実行できるのであれば、機能区分及び機能部の名称はどのようなものでもよい。
【００８６】
送信部２１０は、送信データから送信信号を作成し、当該送信信号を無線で送信する。受信部２２０は、各種の信号を無線受信し、受信した物理レイヤの信号からより上位のレイヤの信号を取得する。また、受信部２２０は、基地局装置１００から送信されるＮＲ−ＰＳＳ、ＮＲ−ＳＳＳ、ＮＲ−ＰＢＣＨ、ＤＬ／ＵＬ制御信号等を受信する機能を有する。また、送信部２１０は、基地局装置１００にプリアンブル及び初期アクセスに係るメッセージを送信し、受信部１２０は、基地局装置１００から初期アクセスに使用する情報を受信する。
【００８７】
設定情報管理部２３０は、受信部２２０により基地局装置１００から受信した各種の設定情報を格納する。また、設定情報管理部２３０は、予め設定される設定情報も格納する。設定情報の内容は、例えば、初期アクセスに使用する情報等である。
【００８８】
初期アクセス制御部２４０は、実施例において説明した、ユーザ装置２００における初期アクセスに係る制御を行う。なお、初期アクセス制御部２４０におけるプリアンブル信号送信等に関する機能部を送信部２１０に含め、初期アクセス制御部２４０におけるシステム情報受信等に関する機能部を受信部２２０に含めてもよい。
【００８９】
（ハードウェア構成）
上述の本発明の実施の形態の説明に用いた機能構成図（図１３及び図１４）は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に複数要素が結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００９０】
また、例えば、本発明の一実施の形態における基地局装置１００及びユーザ装置２００はいずれも、本発明の実施の形態に係る処理を行うコンピュータとして機能してもよい。図１５は、本発明の実施の形態に係る基地局装置１００又はユーザ装置２００である無線通信装置のハードウェア構成の一例を示す図である。上述の基地局装置１００及びユーザ装置２００はそれぞれ、物理的には、プロセッサ１００１、記憶装置１００２、補助記憶装置１００３、通信装置１００４、入力装置１００５、出力装置１００６、バス１００７などを含むコンピュータ装置として構成されてもよい。
【００９１】
なお、以下の説明では、「装置」という文言は、回路、デバイス、ユニットなどに読み替えることができる。基地局装置１００及びユーザ装置２００のハードウェア構成は、図に示した１００１〜１００６で示される各装置を１つ又は複数含むように構成されてもよいし、一部の装置を含まずに構成されてもよい。
【００９２】
基地局装置１００及びユーザ装置２００における各機能は、プロセッサ１００１、記憶装置１００２などのハードウェア上に所定のソフトウェア（プログラム）を読み込ませることで、プロセッサ１００１が演算を行い、通信装置１００４による通信、記憶装置１００２及び補助記憶装置１００３におけるデータの読み出し及び／又は書き込みを制御することで実現される。
【００９３】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central Processing Unit）で構成されてもよい。
【００９４】
また、プロセッサ１００１は、プログラム（プログラムコード）、ソフトウェアモジュール又はデータを、補助記憶装置１００３及び／又は通信装置１００４から記憶装置１００２に読み出し、これらに従って各種の処理を実行する。プログラムとしては、上述の実施の形態で説明した動作の少なくとも一部をコンピュータに実行させるプログラムが用いられる。例えば、図１３に示した基地局装置１００の送信部１１０、受信部１２０、設定情報管理部１３０、初期アクセス設定部１４０は、記憶装置１００２に格納され、プロセッサ１００１で動作する制御プログラムによって実現されてもよい。また、例えば、図１４に示したユーザ装置２００の送信部２１０と、受信部２２０と、設定情報管理部２３０、初期アクセス制御部２４０は、記憶装置１００２に格納され、プロセッサ１００１で動作する制御プログラムによって実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００９５】
記憶装置１００２は、コンピュータ読み取り可能な記録媒体であり、例えば、ＲＯＭ（Read Only Memory）、ＥＰＲＯＭ（Erasable Programmable ROM）、ＥＥＰＲＯＭ（Electrically Erasable Programmable ROM）、ＲＡＭ（Random Access Memory）などの少なくとも１つで構成されてもよい。記憶装置１００２は、レジスタ、キャッシュ、メインメモリ（主記憶装置）などと呼ばれてもよい。記憶装置１００２は、本発明の一実施の形態に係る処理を実施するために実行可能なプログラム（プログラムコード）、ソフトウェアモジュールなどを保存することができる。
【００９６】
補助記憶装置１００３は、コンピュータ読み取り可能な記録媒体であり、例えば、ＣＤ−ＲＯＭ（Compact Disc ROM）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。補助記憶装置１００３は、補助記憶装置と呼ばれてもよい。上述の記憶媒体は、例えば、記憶装置１００２及び／又は補助記憶装置１００３を含むデータベース、サーバその他の適切な媒体であってもよい。
【００９７】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、基地局装置１００の送信部１１０及び受信部１２０は、通信装置１００４で実現されてもよい。また、ユーザ装置２００の送信部２１０及び受信部２２０は、通信装置１００４で実現されてもよい。
【００９８】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤランプなど）である。なお、入力装置１００５及び出力装置１００６は、一体となった構成（例えば、タッチパネル）であってもよい。
【００９９】
また、プロセッサ１００１及び記憶装置１００２などの各装置は、情報を通信するためのバス１００７で接続される。バス１００７は、単一のバスで構成されてもよいし、装置間で異なるバスで構成されてもよい。
【０１００】
また、基地局装置１００及びユーザ装置２００はそれぞれ、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１０１】
（実施の形態のまとめ）
以上説明したように、本発明の実施の形態によれば、基地局装置と無線フレームを介して通信するユーザ装置であって、前記無線フレームにおけるＲＡＣＨリソースの時間領域に係る割り当てを示すＲＡＣＨ設定テーブルに関する情報と、前記無線フレームの時間領域において使用できないＲＡＣＨリソースを除外する情報とを前記基地局装置から受信する受信部と、前記ＲＡＣＨ設定テーブルに関する情報及び前記使用できないＲＡＣＨリソースを除外する情報に基づいて、使用可能であるＲＡＣＨリソースを特定する制御部と、特定された前記使用可能であるＲＡＣＨリソースを用いて、プリアンブルを前記基地局装置に送信する送信部とを有するユーザ装置が提供される。
【０１０２】
上記の構成により、基地局装置は、ＲＡＣＨ  ｃｏｎｆｉｇｕｒａｔｉｏｎ  ｔａｂｌｅを用いたＲＡＣＨリソースの割り当てと、使用できないＲＡＣＨリソースを除外する情報とを通知して、ユーザ装置にＲＡＣＨリソースを特定させることができる。したがって、無線通信システムの初期アクセスにおいて、使用可能なリソースを効率良くユーザ装置に通知することができる。
【０１０３】
前記無線フレームの時間領域において使用できないＲＡＣＨリソースを除外する情報は、下りリンク配置又は上りリンク配置を示す情報であってもよい。当該構成により、ユーザ装置は、ＤＬ／ＵＬ  ａｓｓｉｇｎｍｅｎｔに基づいて、使用可能なＲＡＣＨリソースの特定が可能となる。
【０１０４】
前記下りリンク配置又は上りリンク配置を示す情報は、下りリンクスロットに含まれる下りリンクに使用されるシンボル及び下りリンク又は上りリンクに使用されるかが定められていないシンボルと、上りリンクスロットに含まれる上りリンクに使用されないシンボル及び上りリンク又は下りリンクに使用されるかが定められていないシンボルとの時間領域における位置を示す情報であってもよい。当該構成により、ユーザ装置は、ＤＬ／ＵＬ  ａｓｓｉｇｎｍｅｎｔにおけるシンボルの種別に基づいて、使用可能なＲＡＣＨリソースの特定することができる。
【０１０５】
前記制御部は、前記無線フレームの時間領域において使用できないＲＡＣＨリソースを除外する情報と、受信されたＳＳブロックの時間領域における位置とに基づいて、あるスロットにおける最後のＳＳブロックが含まれるシンボルより時間領域で前方のＲＡＣＨリソースを除外するか、又は、あるスロットにおいて２つのＳＳブロック送信候補位置が存在し時間領域で前方のＳＳブロックのみが受信された場合に前記前方のＳＳブロックが含まれるシンボルより前方のＲＡＣＨリソースを除外するか、又は、あるスロットにおいて２つのＳＳブロック送信候補位置が存在し時間領域で後方のＳＳブロックのみ又は２つのＳＳブロックが受信された場合にスロット内のＲＡＣＨリソースをすべて除外して、使用可能であるＲＡＣＨリソースを特定してもよい。当該構成により、ユーザ装置は、ＳＳ  ｂｌｏｃｋの配置に基づいて、使用可能なＲＡＣＨリソースを特定することができる。
【０１０６】
前記ＲＡＣＨ設定テーブルは、前記プリアンブルが送信されるチャネルのサブキャリア間隔ごとに定義されてもよい。当該構成により、ユーザ装置は、異なるサブキャリア間隔を有するＰＲＡＣＨに対して、異なるＲＡＣＨ  ｃｏｎｆｉｇｕｒａｔｉｏｎ  ｔａｂｌｅを設定することで、サブキャリア間隔に応じた適切な時間領域の位置又はプリアンブルの時間長を有するＲＡＣＨリソースを使用することができる。
【０１０７】
また、以上説明したように、本発明の実施の形態によれば、ユーザ装置と無線フレームを介して通信する基地局装置であって、前記無線フレームにおけるＲＡＣＨリソースの時間領域に係る割り当てを示すＲＡＣＨ設定テーブルに関する情報と、前記無線フレームの時間領域において使用できないＲＡＣＨリソースを除外する情報とを前記ユーザ装置に送信する送信部と、前記ＲＡＣＨ設定テーブルに関する情報及び前記使用できないＲＡＣＨリソースを除外する情報に基づいて、使用可能であるＲＡＣＨリソースを特定する設定部と、特定された前記使用可能であるＲＡＣＨリソースを用いて、プリアンブルを前記ユーザ装置から受信する受信部とを有する基地局装置が提供される。
【０１０８】
上記の構成により、基地局装置は、ＲＡＣＨ  ｃｏｎｆｉｇｕｒａｔｉｏｎ  ｔａｂｌｅを用いたＲＡＣＨリソースの割り当てと、使用できないＲＡＣＨリソースを除外する情報とを通知して、ユーザ装置にＲＡＣＨリソースを特定させることができる。したがって、無線通信システムの初期アクセスにおいて、使用可能なリソースを効率良くユーザ装置に通知することができる。
【０１０９】
（実施形態の補足）
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べた処理手順については、矛盾の無い限り処理の順序を入れ替えてもよい。処理説明の便宜上、基地局装置１００及びユーザ装置２００は機能的なブロック図を用いて説明されたが、そのような装置はハードウェアで、ソフトウェアで又はそれらの組み合わせで実現されてもよい。本発明の実施の形態に従って基地局装置１００が有するプロセッサにより動作するソフトウェア及び本発明の実施の形態に従ってユーザ装置２００が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【０１１０】
また、情報の通知は、本明細書で説明した態様／実施形態に限られず、他の方法で行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、ブロードキャスト情報（ＭＩＢ（Master Information Block）、ＳＩＢ（System Information Block））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【０１１１】
本明細書で説明した各態様／実施形態は、ＬＴＥ（Long Term Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future Radio Access）、Ｗ−ＣＤＭＡ（登録商標）、ＧＳＭ（登録商標）、ＣＤＭＡ２０００、ＵＭＢ（Ultra Mobile Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【０１１２】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１１３】
本明細書において基地局装置１００によって行われるとした特定動作は、場合によってはその上位ノード（upper node）によって行われることもある。基地局装置１００を有する１つ又は複数のネットワークノード（network nodes）からなるネットワークにおいて、ユーザ装置２００との通信のために行われる様々な動作は、基地局装置１００及び／又は基地局装置１００以外の他のネットワークノード（例えば、ＭＭＥ又はＳ−ＧＷなどが考えられるが、これらに限られない）によって行われ得ることは明らかである。上記において基地局装置１００以外の他のネットワークノードが１つである場合を例示したが、複数の他のネットワークノードの組み合わせ（例えば、ＭＭＥ及びＳ−ＧＷ）であってもよい。
【０１１４】
本明細書で説明した各態様／実施形態は単独で用いてもよいし、組み合わせて用いてもよいし、実行に伴って切り替えて用いてもよい。
【０１１５】
ユーザ装置２００は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【０１１６】
基地局装置１００は、当業者によって、ＮＢ（NodeB）、ｅＮＢ（enhanced NodeB）、ｇＮＢ、ベースステーション（Base Station）、又はいくつかの他の適切な用語で呼ばれる場合もある。
【０１１７】
本明細書で使用する「判断（determining）」、「決定（determining）」という用語は、多種多様な動作を包含する場合がある。「判断」、「決定」は、例えば、判定（judging）、計算（calculating）、算出（computing）、処理（processing）、導出（deriving）、調査（investigating）、探索（looking up）（例えば、テーブル、データベース又は別のデータ構造での探索）、確認（ascertaining）した事を「判断」「決定」したとみなす事などを含み得る。また、「判断」、「決定」は、受信（receiving）（例えば、情報を受信すること）、送信（transmitting）（例えば、情報を送信すること）、入力（input）、出力（output）、アクセス（accessing）（例えば、メモリ中のデータにアクセスすること）した事を「判断」「決定」したとみなす事などを含み得る。また、「判断」、「決定」は、解決（resolving）、選択（selecting）、選定（choosing）、確立（establishing）、比較（comparing）などした事を「判断」「決定」したとみなす事を含み得る。つまり、「判断」「決定」は、何らかの動作を「判断」「決定」したとみなす事を含み得る。
【０１１８】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１１９】
「含む（include）」、「含んでいる（including）」、及びそれらの変形が、本明細書あるいは特許請求の範囲で使用されている限り、これら用語は、用語「備える（comprising）」と同様に、包括的であることが意図される。さらに、本明細書あるいは特許請求の範囲において使用されている用語「又は（or）」は、排他的論理和ではないことが意図される。
【０１２０】
本開示の全体において、例えば、英語でのａ、ａｎ及びｔｈｅのように、翻訳により冠詞が追加された場合、これらの冠詞は、文脈から明らかにそうではないことが示されていなければ、複数のものを含み得る。
【０１２１】
なお、本発明の実施の形態において、ＳＳ  ｂｌｏｃｋは、ＳＳブロックの一例である。初期アクセス設定部１４０は、設定部の一例である。ＲＭＳＩは、ブロックに含まれない初期アクセスに必要な情報の一例である。初期アクセス制御部２４０は、制御部の一例である。ＲＡＣＨ  ｃｏｎｆｉｇｕｒａｔｉｏｎ  ｔａｂｌｅは、ＲＡＣＨ設定テーブルの一例である。ＤＬ／ＵＬ  ａｓｓｉｇｎｍｅｎｔは、下りリンク配置又は上りリンク配置を示す情報の一例である。図８における「Ｄｏｗｎｌｉｎｋ  ｓｌｏｔ」又は図９における「Ｄｏｗｎｌｉｎｋ  ｒｅｇｉｏｎ」は、下りリンクスロットの一例である。図９における「Ｕｐｌｉｎｋ  ｒｅｇｉｏｎ」は、上りリンクスロット又は上りリンクに使用されるシンボルの一例である。図８における「Ｄｏｗｎｌｉｎｋ」及び図９におけるＤＬスロットまたはＤＬシンボルは、下りリンクに使用されるシンボルの一例である。図８又は図９における「Ｕｎｋｎｏｗｎ」は、下りリンク又は上りリンクに使用されるかが定められていないシンボルの一例である。図８における「Ｎｏｔ  ｕｐｌｉｎｋ」は、上りリンクに使用されないシンボルの一例である。
【０１２２】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【０１２３】
１００      基地局装置
２００      ユーザ装置
１１０      送信部
１２０      受信部
１３０      設定情報管理部
１４０      初期アクセス設定部
２００      ユーザ装置
２１０      送信部
２２０      受信部
２３０      設定情報管理部
２４０      初期アクセス制御部
１００１    プロセッサ
１００２    記憶装置
１００３    補助記憶装置
１００４    通信装置
１００５    入力装置
１００６    出力装置
【図１】
2019097661.tif 000003
【図２】
2019097661.tif 000004
【図３】
2019097661.tif 000005
【図４】
2019097661.tif 000006
【図５】
2019097661.tif 000007
【図６】
2019097661.tif 000008
【図７】
2019097661.tif 000009
【図８】
2019097661.tif 000010
【図９】
2019097661.tif 000011
【図１０】
2019097661.tif 000012
【図１１】
2019097661.tif 000013
【図１２】
2019097661.tif 000014
【図１３】
2019097661.tif 000015
【図１４】
2019097661.tif 000016
【図１５】
2019097661.tif 000017
【手続補正書】
【提出日】令和2年4月30日(2020.4.30)
【手続補正１】
【補正対象書類名】特許請求の範囲
【補正対象項目名】全文
【補正方法】変更
【補正の内容】
【特許請求の範囲】
【請求項１】
ＲＡＣＨ（Random Access Channel）リソースの時間領域における割り当てを示すＲＡＣＨ設定に関する情報と、下りリンク配置又は上りリンク配置を示す情報とを受信する受信部と、
前記ＲＡＣＨ設定に関する情報及び前記下りリンク配置又は上りリンク配置を示す情報に基づいて、使用可能であるＲＡＣＨリソースを特定する制御部と、
前記使用可能であるＲＡＣＨリソースを用いて、プリアンブルを送信する送信部とを有する端末。
【請求項２】
前記制御部は、前記ＲＡＣＨ設定に関する情報によって指定されるＲＡＣＨリソースのうち、前記下りリンク配置又は上りリンク配置を示す情報が上りリンク配置を示すリソースを使用可能であるＲＡＣＨリソースと特定する請求項１記載の端末。
【請求項３】
前記制御部は、前記ＲＡＣＨ設定に関する情報によって指定されるＲＡＣＨリソースのうち、前記下りリンク配置又は上りリンク配置を示す情報が下りリンク配置を示すリソースを使用可能なＲＡＣＨリソースから除外する請求項１記載の端末。
【請求項４】
前記制御部は、前記ＲＡＣＨ設定に関する情報によって指定されるＲＡＣＨリソースのうち、ＳＳブロックと時間領域でオーバラップするＲＡＣＨリソースを使用可能なＲＡＣＨリソースから除外する請求項１記載の端末。
【請求項５】
前記制御部は、前記ＲＡＣＨ設定に関する情報によって指定されるＲＡＣＨリソースのうち、ＳＳブロックよりも時間領域で前方に配置されるＲＡＣＨリソースを使用可能なＲＡＣＨリソースから除外する請求項１記載の端末。
【請求項６】
前記ＲＡＣＨ設定に関する情報がＲＡＣＨリソースをサブフレーム単位で指定する情報を含む場合、サブフレームを構成するスロットのいずれがＲＡＣＨリソースとして使用可能であるかが設定される請求項１記載の端末。
【請求項７】
前記ＲＡＣＨ設定に関する情報は、１０ｍｓの倍数となる周期でＲＡＣＨリソースを指定する情報を含む請求項１記載の端末。
【請求項８】
ＲＡＣＨ（Random Access Channel）リソースの時間領域における割り当てを示すＲＡＣＨ設定に関する情報と、下りリンク配置又は上りリンク配置を示す情報とを送信する送信部と、
前記ＲＡＣＨ設定に関する情報及び前記下りリンク配置又は上りリンク配置を示す情報に基づいて、使用可能であるＲＡＣＨリソースを特定する設定部と、
前記使用可能であるＲＡＣＨリソースを用いて、プリアンブルを受信する受信部とを有する基地局装置。
【国際調査報告】
2019097661.tif 000018
2019097661.tif 000019
2019097661.tif 000020
2019097661.tif 000021